(57)【要約】      （修正有）【課題】不使用時のコンパクト化を図った鍋敷きを提供する。  【解決手段】鍋敷きＳは、環状体１と、この環状体１より、環状体１の内方に延びる突出する複数の突出片２と、この複数の突出片２と環状体１は、複数の突出片２を環状体１の外方に延びるように反転できる柔軟な部材で形成されているものである。【選択図】図１
0003147111.tif 000002
【実用新案登録請求の範囲】
【請求項１】
環状体と、
この環状体より、前記環状体の内方に延びる突出する複数の突出片と、
この複数の突出片と前記環状体は、前記複数の突出片を前記環状体の外方に延びるように反転できる柔軟な部材で形成されている
ことを特徴とする鍋敷き。
【請求項２】
環状体と、
この環状体より、前記環状体の内方に延びる突出する複数の突出片と、
この複数の突出片と前記環状体は、前記複数の突出片を前記環状体の外方に延びるように反転できる柔軟な部材で形成され、
前記環状体は 、Ｘ、Ｙ、Ｚ軸が互いに直交する三次元の直交座標系において、Ｘ−Ｙ、Ｙ−Ｚ、Ｚ−Ｘ平面のうち少なくとも一の平面上でその形状が閉じている
ことを特徴とする鍋敷き。
【請求項３】
環状体と、
この環状体より、前記環状体の内方に延びる突出する複数の突出片と、
この複数の突出片と前記環状体は、前記複数の突出片を前記環状体の外方に延びるように反転できる柔軟な部材で形成され、
複数の突出片の内、隣接する前記突出片の内の一方の前記突出片と隣接する前記突出片の内の他方の前記突出片との間の前記環状体の部位を薄肉の接続部で形成する
ことを特徴とする鍋敷き。
【請求項４】
環状体と、
この環状体より、前記環状体の内方に延びる突出する複数の突出片と、
この複数の突出片と前記環状体は、前記複数の突出片を前記環状体の外方に延びるように反転できる柔軟な部材で形成され、
複数の突出片の内、隣接する前記突出片の内の一方の前記突出片と隣接する前記突出片の内の他方の前記突出片との間の前記環状体の部位を薄肉の接続部で形成し、
前記環状体は 、Ｘ、Ｙ、Ｚ軸が互いに直交する三次元の直交座標系において、Ｘ−Ｙ、Ｙ−Ｚ、Ｚ−Ｘ平面のうち少なくとも一の平面上でその形状が閉じている
ことを特徴とする鍋敷き。
【請求項５】
環状体は、平面視複数の略V字形状部と、前記略V字形状部と前記略V字形状部との間を薄肉の接続部で接続して構成し、
突出片は、平面視直線形状部であり、
前記直線形状部と略V字形状部とは接続され、平面視略Ｙ字形状をなしている
ことを特徴とする請求項３又は４記載の鍋敷き。
【請求項６】
複数の凸形状部と、
前記凸形状部と前記凸形状部との間を接続部を介して接続して構成した環状体と、
前記凸形状部の先端は、前記環状体の内方に臨み、
前記環状体は、前記凸形状部の先端を前記環状体の外方に臨むように反転できる柔軟な部材で形成されている
ことを特徴とする鍋敷き。
【請求項７】
複数の凸形状部と、
前記凸形状部と前記凸形状部との間を接続部を介して接続して構成した環状体と、
前記凸形状部の先端は、前記環状体の内方に臨み、
前記環状体は、前記凸形状部の先端を前記環状体の外方に臨むように反転できる柔軟な部材で形成され、
前記環状体は 、Ｘ、Ｙ、Ｚ軸が互いに直交する三次元の直交座標系において、Ｘ−Ｙ、Ｙ−Ｚ、Ｚ−Ｘ平面のうち少なくとも一の平面上でその形状が閉じている
ことを特徴とする鍋敷き。
【請求項８】
凸形状部と凸形状部との間を薄肉の接続部を介して接続する
ことを特徴とする請求項６又は７記載の鍋敷き。
【考案の詳細な説明】
【技術分野】
【０００１】
本考案は、鍋敷きに係り、特に、不使用時のコンパクト化を図った鍋敷きに関する。
【背景技術】
【０００２】
鍋を火から下ろしたときに、下に敷いて鍋を置く鍋敷きがある。
従来の鍋敷きは、鍋を載せる台が固定化されているため、鍋敷きの使用、不使用に関わらず、その大きさが一定で、コンパクト化を図る上で改善の余地があるという問題点があった。
【考案の開示】
【考案が解決しようとする課題】
【０００３】
本考案は、上記問題点を除去するようにした鍋敷きを提供することを目的としている。
【課題を解決するための手段】
【０００４】
前記した目的を達成するための本考案の鍋敷きは、環状体と、この環状体より、前記環状体の内方に延びる突出する複数の突出片と、この複数の突出片と前記環状体は、前記複数の突出片を前記環状体の外方に延びるように反転できる柔軟な部材で形成されているものである。
【０００５】
また、請求項２記載の鍋敷きは、環状体と、この環状体より、前記環状体の内方に延びる突出する複数の突出片と、この複数の突出片と前記環状体は、前記複数の突出片を前記環状体の外方に延びるように反転できる柔軟な部材で形成され、前記環状体は 、Ｘ、Ｙ、Ｚ軸が互いに直交する三次元の直交座標系において、Ｘ−Ｙ、Ｙ−Ｚ、Ｚ−Ｘ平面のうち少なくとも一の平面上でその形状が閉じているものである。
【０００６】
また、請求項３記載の鍋敷きは、環状体と、この環状体より、前記環状体の内方に延びる突出する複数の突出片と、この複数の突出片と前記環状体は、前記複数の突出片を前記環状体の外方に延びるように反転できる柔軟な部材で形成され、複数の突出片の内、隣接する前記突出片の内の一方の前記突出片と隣接する前記突出片の内の他方の前記突出片との間の前記環状体の部位を薄肉の接続部で形成するものである。
【０００７】
また、請求項４記載の鍋敷きは、環状体と、この環状体より、前記環状体の内方に延びる突出する複数の突出片と、この複数の突出片と前記環状体は、前記複数の突出片を前記環状体の外方に延びるように反転できる柔軟な部材で形成され、複数の突出片の内、隣接する前記突出片の内の一方の前記突出片と隣接する前記突出片の内の他方の前記突出片との間の前記環状体の部位を薄肉の接続部で形成し、前記環状体は 、Ｘ、Ｙ、Ｚ軸が互いに直交する三次元の直交座標系において、Ｘ−Ｙ、Ｙ−Ｚ、Ｚ−Ｘ平面のうち少なくとも一の平面上でその形状が閉じているものである。
【０００８】
また、請求項５記載の鍋敷きは、請求項３又は４記載の鍋敷きにおいて、環状体は、平面視複数の略V字形状部と、前記略V字形状部と前記略V字形状部との間を薄肉の接続部で接続して構成し、突出片は、平面視直線形状部であり、前記直線形状部と略V字形状部とは接続され、平面視略Ｙ字形状をなしているものである。
【０００９】
また、請求項６記載の鍋敷きは、複数の凸形状部と、前記凸形状部と前記凸形状部との間を接続部を介して接続して構成した環状体と、前記凸形状部の先端は、前記環状体の内方に臨み、前記環状体は、前記凸形状部の先端を前記環状体の外方に臨むように反転できる柔軟な部材で形成されているものである。
【００１０】
また、請求項７記載の鍋敷きは、複数の凸形状部と、前記凸形状部と前記凸形状部との間を接続部を介して接続して構成した環状体と、前記凸形状部の先端は、前記環状体の内方に臨み、前記環状体は、前記凸形状部の先端を前記環状体の外方に臨むように反転できる柔軟な部材で形成され、前記環状体は 、Ｘ、Ｙ、Ｚ軸が互いに直交する三次元の直交座標系において、Ｘ−Ｙ、Ｙ−Ｚ、Ｚ−Ｘ平面のうち少なくとも一の平面上でその形状が閉じているものである。
【００１１】
また、請求項８記載の鍋敷きは、請求項６又は７記載の鍋敷きにおいて、凸形状部と凸形状部との間を薄肉の接続部を介して接続するものである。
【考案の効果】
【００１２】
請求項１又は２記載の鍋敷きによれば、複数の突出片と環状体は、前記複数の突出片を前記環状体の外方に延びるように反転できる柔軟な部材で形成されているため、鍋敷きの使用時、複数の突出片を反転させて環状体の外方に位置させ、鍋敷きの不使用時には、鍋敷きの使用時と逆に、複数の突出片が環状体の内方に位置させるように反転させて、コンパクトにして、収容場所を取らないようにすることができる。 
【００１３】
また、請求項３又は４記載の鍋敷きによれば、複数の突出片と環状体は、前記複数の突出片を前記環状体の外方に延びるように反転できる柔軟な部材で形成されているため、鍋敷きの使用時、複数の突出片を反転させて環状体の外方に位置させ、鍋敷きの不使用時には、鍋敷きの使用時と逆に、複数の突出片が環状体の内方に位置させるように反転させて、コンパクトにして、収容場所を取らないようにすることができ、しかも、隣接する前記突出片の内の一方の前記突出片と隣接する前記突出片の内の他方の前記突出片との間の前記環状体の部位を薄肉の接続部で形成するため、鍋敷きの不使用時から鍋敷きの使用時、又は、鍋敷きの使用時から鍋敷きの不使用時への反転を容易にすることができる。 
【００１４】
また、請求項６又は７記載の鍋敷きによれば、環状体は、凸形状部の先端を前記環状体の外方に臨むように反転できる柔軟な部材で形成されているため、鍋敷きの使用時、凸形状部の先端を前記環状体の外方に臨むように反転させて環状体の外方に位置させ、鍋敷きの不使用時には、鍋敷きの使用時と逆に、凸形状部の先端が環状体の内方に位置させるように反転させて、コンパクトにして、収容場所を取らないようにすることができる。
【００１５】
また、請求項８記載の鍋敷きによれば、上述した請求項６又は７記載の考案の効果に加え、凸形状部と凸形状部との間を薄肉の接続部を介して接続するものであるため、鍋敷きの不使用時から鍋敷きの使用時、又は、鍋敷きの使用時から鍋敷きの不使用時への反転を容易にすることができる。
【考案を実施するための最良の形態】
【００１６】
本考案の一実施例の鍋敷きを図面を参照して説明する。
図１〜図６において、Ｓは鍋を火から下ろしたときに、下に敷いて鍋を置く鍋敷きである。
鍋敷きＳは、環状体１と、この環状体１より、環状体１の内方に延びる突出する複数の突出片２とを有する。
例えば、複数の突出片２は、環状体１の中心に向かうように延びている。
また、鍋１０、置物１０’が当接する面には、多数の凹凸部３が形成されている（図３参照）。
【００１７】
環状体１は、平面視複数の略V字形状部１１と、略V字形状部１１と略V字形状部１１との間を薄肉（例えば、厚みｔ）の接続部１２で接続して構成し、突出片２は、平面視直線形状部であり、直線形状部２と略V字形状部１１とは接続され、平面視略Ｙ字形状をなしている。
なお、本考案に言う「環状体１」は 、円形、多角形は、勿論のこと、Ｘ、Ｙ、Ｚ軸が互いに直交する三次元の直交座標系において、Ｘ−Ｙ、Ｙ−Ｚ、Ｚ−Ｘ平面のうち少なくとも一の平面上でその形状が閉じているものを含む意である（図２、図４、後述する図７、図８参照）。
そして、複数の突出２片と環状体１は、複数の突出片２を環状体１の外方に延びるように反転できる柔軟な部材（例えば、ウレタン、シリコン等である。）で形成されている。反転した場合、複数の突出片２は環状体１から、放射状に延びることとなる（図４及び図６参照）。
【００１８】
従って、上述した鍋敷きＳによれば、複数の突出片２と環状体１は、図４及び図６に示すように、複数の突出片２を環状体１の外方に延びるように反転できる柔軟な部材で形成されているため、鍋敷きＳの使用時（鍋１０を置いた図６参照）、複数の突出片２を反転させて環状体１の外方に位置させ、
鍋敷きＳの不使用時（図1及び図２参照）、又は、置物１０’が小さい場合（図５参照）には、鍋敷きＳの使用時（図６参照）と逆に、複数の突出片２が環状体２の内方に位置させるように反転させて、コンパクトにして、収容場所を取らないようにすることができる。
また、複数の突出片２の内、隣接する突出片２、２の内の一方の突出片２と隣接する突出片２、２の内の他方の突出片２との間の環状体１の部位を薄肉の接続部１２で形成しているため、「鍋敷きＳの不使用時（図1及び図２参照）、または、置物１０’が小さい場合（図５参照）から鍋敷きＳの使用時（図６参照）」、又は、「鍋敷きの使用時（図６参照）から鍋敷きの不使用時（図２参照）、または、置物１０’が小さい場合（図５参照）」への反転を容易にすることができる。
【００１９】
なお、上述した実施例においては、突出片２を設けたが、本考案にあっては、これに限らず、突出片２を設けなくても、上述の実施例と同様な作用効果を奏することができる。
即ち、図７及び図８に示すように、１１’は凸形状部で、凸形状部１１’は複数で、本実施例では、例えば、６個である。
環状体１は、上述の凸形状部１１’と上述の凸形状部１１’との間を、例えば、薄肉の接続部１を介して接続して構成している。凸形状部１１’の先端１１’ａは、環状体１の内方に臨んでいる（図７参照）。この環状体１にあっても、上述の図１〜図６記載の実施例と同様に、凸形状部１１’の先端１１’ａを環状体１の外方に臨むように反転できる柔軟な部材で形成されている（図８参照）。
【００２０】
従って、図７及び図８記載の鍋敷きＳにおいても、凸形状部１１’の先端１１’ａを環状体１の外方に臨むように反転できる柔軟な部材で形成されているため、鍋敷きＳの使用時（図８参照）、凸形状部１１’の先端１１’ａを反転させて環状体１の外方に位置させ、
鍋敷きＳの不使用時、又は、図示しない置物が小さい場合には、鍋敷きＳの使用時（図８参照）と逆に、凸形状部１１’の先端１１’ａを、環状体１の内方に臨むように反転させて、コンパクトにして、収容場所を取らないようにすることができる（図７参照）。    また、凸形状部１１’と凸形状部１１’との間の環状体１の部位を薄肉の接続部１２で形成しているため、「鍋敷きＳの不使用時、または、図示しない置物が小さい場合（図７参照）から鍋敷きＳの使用時（図８参照）」、又は、「鍋敷きの使用時（図８参照）から鍋敷きの不使用時、または、図示しない置物が小さい場合（図７参照）」への反転を容易にすることができる。
【図面の簡単な説明】
【００２１】
【図１】図１は、本考案の一実施例の鍋敷きの概略的斜視図である。
【図２】図２は、図１の鍋敷きの概略的平面図である。
【図３】図３は、図２の３−３線による概略的断面図である。
【図４】図４は、図２の鍋敷きの複数の突出片を環状体の外方に延びるように反転した状態の概略的平面図である。
【図５】図５は、図１の鍋敷きの使用状態の概略的斜視図である。
【図６】図６は、図４の鍋敷きの使用状態の概略的斜視図である。
【図７】図７は、図１の鍋敷きと異なる他の実施例の概略的平面図である。
【図８】図８は、図７の鍋敷きの凸形状部の先端を環状体の外方に臨むように反転した状態の概略的平面図である。
【符号の説明】
【００２２】
Ｓ     …鍋敷き
１     …環状体
２     …突出片
【図１】
0003147111.tif 000003
【図２】
0003147111.tif 000004
【図３】
0003147111.tif 000005
【図４】
0003147111.tif 000006
【図５】
0003147111.tif 000007
【図６】
0003147111.tif 000008
【図７】
0003147111.tif 000009
【図８】
0003147111.tif 000010
【手続補正書】
【提出日】平成20年10月15日(2008.10.15)
【手続補正１】
【補正対象書類名】実用新案登録請求の範囲
【補正対象項目名】全文
【補正方法】変更
【補正の内容】
【実用新案登録請求の範囲】
【請求項１】
環状体と、
この環状体より、前記環状体の内方に延びる突出する複数の突出片と、
この複数の突出片と前記環状体は、前記複数の突出片を前記環状体の外方に臨むように反転できる柔軟な部材で形成され、前記複数の突出片の反転時、前記複数の突出片が前記環状体の外方に臨んでいる
ことを特徴とする鍋敷き。
【請求項２】
環状体と、
この環状体より、前記環状体の内方に延びる突出する複数の突出片と、
この複数の突出片と前記環状体は、前記複数の突出片を前記環状体の外方に臨むよ
うに反転できる柔軟な部材で形成され、
前記環状体は 、Ｘ、Ｙ、Ｚ軸が互いに直交する三次元の直交座標系において、Ｘ−
Ｙ、Ｙ−Ｚ、Ｚ−Ｘ平面のうち少なくとも一の平面上でその形状が閉じ、前記複数の突出片の反転時、前記複数の突出片が前記環状体の外方に臨んでいる
ことを特徴とする鍋敷き。
【請求項３】
環状体と、
この環状体より、前記環状体の内方に延びる突出する複数の突出片と、
この複数の突出片と前記環状体は、前記複数の突出片を前記環状体の外方に臨むように反転できる柔軟な部材で形成され、
複数の突出片の内、隣接する前記突出片の内の一方の前記突出片と隣接する前記突出
片の内の他方の前記突出片との間の前記環状体の部位を薄肉の接続部で形成し、前記複数の突出片の反転時、前記複数の突出片が前記環状体の外方に臨んでいる
ことを特徴とする鍋敷き。
【請求項４】
環状体と、
この環状体より、前記環状体の内方に延びる突出する複数の突出片と、
この複数の突出片と前記環状体は、前記複数の突出片を前記環状体の外方に臨むように反転できる柔軟な部材で形成され、
複数の突出片の内、隣接する前記突出片の内の一方の前記突出片と隣接する前記突出
片の内の他方の前記突出片との間の前記環状体の部位を薄肉の接続部で形成し、
前記環状体は 、Ｘ、Ｙ、Ｚ軸が互いに直交する三次元の直交座標系において、Ｘ−
Ｙ、Ｙ−Ｚ、Ｚ−Ｘ平面のうち少なくとも一の平面上でその形状が閉じ、前記複数の突出片の反転時、前記複数の突出片が前記環状体の外方に臨んでいる
ことを特徴とする鍋敷き。
【請求項５】
環状体は、平面視複数の略V字形状部と、前記略V字形状部と前記略V字形状部との間を薄肉の接続部で接続して構成し、
突出片は、平面視直線形状部であり、
前記直線形状部と略V字形状部とは接続され、平面視略Ｙ字形状をなしている
ことを特徴とする請求項３又は４記載の鍋敷き。
【請求項６】
複数の凸形状部と、
前記凸形状部と前記凸形状部との間を接続部を介して接続して構成した環状体と、
前記凸形状部の先端は、前記環状体の内方に臨み、
前記環状体は、前記凸形状部の先端を前記環状体の外方に臨むように反転できる柔軟
な部材で形成され、前記凸形状部の反転時、前記凸形状部が前記環状体の外方に臨んでいる
ことを特徴とする鍋敷き。
【請求項７】
複数の凸形状部と、
前記凸形状部と前記凸形状部との間を接続部を介して接続して構成した環状体と、
前記凸形状部の先端は、前記環状体の内方に臨み、
前記環状体は、前記凸形状部の先端を前記環状体の外方に臨むように反転できる柔軟
な部材で形成され、
前記環状体は 、Ｘ、Ｙ、Ｚ軸が互いに直交する三次元の直交座標系において、Ｘ−
Ｙ、Ｙ−Ｚ、Ｚ−Ｘ平面のうち少なくとも一の平面上でその形状が閉じている
ことを特徴とする鍋敷き。
【請求項８】
凸形状部と凸形状部との間を薄肉の接続部を介して接続する
ことを特徴とする請求項６又は７記載の鍋敷き。
【手続補正２】
【補正対象書類名】明細書
【補正対象項目名】０００４
【補正方法】変更
【補正の内容】
【０００４】
前記した目的を達成するための本考案の鍋敷きは、環状体と、この環状体より、前記環状体の内方に延びる突出する複数の突出片と、この複数の突出片と前記環状体は、前記複数の突出片を前記環状体の外方に臨むように反転できる柔軟な部材で形成され、前記複数の突出片の反転時、前記複数の突出片が前記環状体の外方に臨んでいるものである。
【手続補正３】
【補正対象書類名】明細書
【補正対象項目名】０００５
【補正方法】変更
【補正の内容】
【０００５】
また、請求項２記載の鍋敷きは、環状体と、この環状体より、前記環状体の内方に延びる突出する複数の突出片と、この複数の突出片と前記環状体は、前記複数の突出片を前記環状体の外方に臨むように反転できる柔軟な部材で形成され、前記環状体は 、Ｘ、Ｙ、Ｚ軸が互いに直交する三次元の直交座標系において、Ｘ−Ｙ、Ｙ−Ｚ、Ｚ−Ｘ平面のうち少なくとも一の平面上でその形状が閉じ、前記複数の突出片の反転時、前記複数の突出片が前記環状体の外方に臨んでいるものである。
【手続補正４】
【補正対象書類名】明細書
【補正対象項目名】０００６
【補正方法】変更
【補正の内容】
【０００６】
また、請求項３記載の鍋敷きは、環状体と、この環状体より、前記環状体の内方に延びる突出する複数の突出片と、この複数の突出片と前記環状体は、前記複数の突出片を前記環状体の外方に臨むように反転できる柔軟な部材で形成され、複数の突出片の内、隣接する前記突出片の内の一方の前記突出片と隣接する前記突出片の内の他方の前記突出片との間の前記環状体の部位を薄肉の接続部で形成し、前記複数の突出片の反転時、前記複数の突出片が前記環状体の外方に臨んでいるものである。
【手続補正５】
【補正対象書類名】明細書
【補正対象項目名】０００７
【補正方法】変更
【補正の内容】
【０００７】
また、請求項４記載の鍋敷きは、環状体と、この環状体より、前記環状体の内方に延びる突出する複数の突出片と、この複数の突出片と前記環状体は、前記複数の突出片を前記環状体の外方に臨むように反転できる柔軟な部材で形成され、複数の突出片の内、隣接する前記突出片の内の一方の前記突出片と隣接する前記突出片の内の他方の前記突出片との間の前記環状体の部位を薄肉の接続部で形成し、前記環状体は 、Ｘ、Ｙ、Ｚ軸が互いに直交する三次元の直交座標系において、Ｘ−Ｙ、Ｙ−Ｚ、Ｚ−Ｘ平面のうち少なくとも一の平面上でその形状が閉じ、前記複数の突出片の反転時、前記複数の突出片が前記環状体の外方に臨んでいるものである。
【手続補正６】
【補正対象書類名】明細書
【補正対象項目名】０００９
【補正方法】変更
【補正の内容】
【０００９】
また、請求項６記載の鍋敷きは、複数の凸形状部と、前記凸形状部と前記凸形状部との間を接続部を介して接続して構成した環状体と、前記凸形状部の先端は、前記環状体の内方に臨み、前記環状体は、前記凸形状部の先端を前記環状体の外方に臨むように反転できる柔軟な部材で形成され、前記凸形状部の反転時、前記凸形状部が前記環状体の外方に臨んでいるものである。
【手続補正７】
【補正対象書類名】明細書
【補正対象項目名】００１２
【補正方法】変更
【補正の内容】
【００１２】
請求項１又は２記載の鍋敷きによれば、複数の突出片と環状体は、前記複数の突出片
を前記環状体の外方に臨むように反転できる柔軟な部材で形成されているため、鍋敷き
の使用時、複数の突出片を反転させて環状体の外方に位置させ、鍋敷きの不使用時には、
鍋敷きの使用時と逆に、複数の突出片が環状体の内方に位置させるように反転させて、コ
ンパクトにして、収容場所を取らないようにすることができる。 
【手続補正８】
【補正対象書類名】明細書
【補正対象項目名】００１３
【補正方法】変更
【補正の内容】
【００１３】
また、請求項３又は４記載の鍋敷きによれば、複数の突出片と環状体は、前記複数の
突出片を前記環状体の外方に臨むように反転できる柔軟な部材で形成されているため、
鍋敷きの使用時、複数の突出片を反転させて環状体の外方に位置させ、鍋敷きの不使用時
には、鍋敷きの使用時と逆に、複数の突出片が環状体の内方に位置させるように反転させ
て、コンパクトにして、収容場所を取らないようにすることができ、しかも、隣接する前
記突出片の内の一方の前記突出片と隣接する前記突出片の内の他方の前記突出片との間の
前記環状体の部位を薄肉の接続部で形成するため、鍋敷きの不使用時から鍋敷きの使用時
、又は、鍋敷きの使用時から鍋敷きの不使用時への反転を容易にすることができる。